(57)【要約】【課題】挟持片の腕部に扇形空間を形成するように取り付けられたバンド部を取り付けることにより、洗濯物の絡みや洗濯ばさみ同士の絡みを防止し、快適な物干し作業ができる洗濯ばさみを提供する。【解決手段】    ２つの挟持片の腕部に対し、扇形空間を形成するようにまたぐ板状のバンド部が連結部によって取り付けられ、さらに、バンド部の中央には案内穴があり、この案内穴を通って吊り下げ腕具がリング状ばねとつながっていることを特徴とする。【選択図】     図１
2005137746.tif 000002
【特許請求の範囲】
【請求項１】
２つの挟持片（１）（２）の腕部（３）（４）に対し扇形空間を形成するようにまたぐ板状のバンド部（５）が連結部（６）（７）によって取り付けられ、さらに、バンド部（５）の中央には案内穴（１０）があり、この案内穴（１０）を通って吊り下げ腕具（９）がリング状ばね（８）とつながっていることを特徴とする洗濯ばさみ。
【請求項２】
２つの挟持片（１）（２）の腕部（３）（４）に対し扇形空間を形成するようにまたぐ板状のバンド部（５）が腕部（３）（４）と一体成形により形成され、さらに、バンド部（５）の中央には案内穴（１０）があり、この案内穴（１０）を通って吊り下げ腕具（９）がリング状ばね（８）とつながっていることを特徴とする請求項１記載の洗濯ばさみ。
【発明の詳細な説明】
【技術分野】
【０００１】
本発明は、絡み防止用バンド付きの洗濯ばさみに関するものである。
【背景技術】
【０００２】
従来、洗濯ばさみは２つの挟持片（１）（２）によって洗濯物を挟み止める構造になっていることから、挟持片上部の腕部（３）（４）が開いた形状になっている。このため洗濯物である衣服に引っかける原因になったり、さらには、洗濯ばさみが多数取り付けられた２つの物干し具を収納する時に互いに洗濯ばさみが絡み合い、もとに戻すのに大変苦労することになったりし、多くの主婦を悩ませている。
この対策として、従来、例えばリング状ばね（８）を通る環状吊り具を設けたり（特開平８−１０４９８）、挟持片（１）（２）の腕部（３）（４）につなげている吊り下げ用のくさりや紐のつなげ方を工夫したりして（特開２００１−１９０８９６、実開平５−１４９２）いくつかの対策が見られる。
しかしながら、耐久性や構造の単純性において、十分とはいえず、工夫の余地が残されていた。
【特許文献１】特開平８−１０４９８
【特許文献２】特開２００１−１９０８９６
【特許文献３】実開平５−１４９２
【発明の開示】
【発明が解決しようとする課題】
【０００３】
このために次のような点が課題としてあった。
（イ）より簡単な構造で、絡み防止ができる洗濯ばさみの開発が望まれている。
（ロ）耐久性においても、十分使用に耐える構造である選択ばさみが求められている。      そこで、本発明に係る洗濯ばさみは、上記課題を克服し、絡み防止を可能にする洗濯ばさみを使用することによって、快適に洗濯物が干せる目的で発明されたものである。
【課題を解決するための手段】
【０００４】
上記目的を達成するために、本発明の請求項１記載の発明の手段は、２つの挟持片（１）（２）の腕部（３）（４）に対し扇形空間を形成するようにまたぐ板状のバンド部（５）が連結部（６）（７）によって取り付けられ、さらに、バンド部（５）の中央には案内穴（１０）があり、案内穴（１０）を通って吊り下げ腕具（９）がリング状ばね（８）とつながっていることを特徴とする洗濯ばさみである。
【０００５】
本発明の請求項２記載の発明の手段は、２つの挟持片（１）（２）の腕部（３）（４）に対し扇形空間を形成するようにまたぐ板状のバンド部（５）が挟持部腕部（３）（４）と一体成形により形成され、さらに、バンド部（５）の中央には案内穴（１０）があり、案内穴（１０）を通って吊り下げ腕具（９）がリング状ばね（８）とつながっていることを特徴とする請求項１記載の洗濯ばさみである。
【発明の効果】
【０００６】
本発明を使用することによって、以下に示すような効果が生まれる。
（イ）本発明の洗濯ばさみを使用すれば、洗濯物が洗濯ばさみに絡むことがなくなり洗濯ばさみの破損や引っかかることによる洗濯物の損傷をなくすことができる。
（ロ）また、本発明の洗濯ばさみを多数とりつけた物干し具を複数個重ねて置いても互いに絡み合うことがなくなり、物干し作業が快適にできる。
（ハ）従来の洗濯ばさみの構造に比べ、大きな設計変更をしなくても、バンド部（５）      を取り付けるだけで機能させることが可能で、設計変更に伴う制作コストも抑えられる。
【発明を実施するための最良の形態】
【０００７】
以下、本発明の実施の形態について説明する。
図１は、本発明の請求項１の構成を表した正面図である。（１）（２）は本発明の洗濯ばさみの本体に当たる挟持片である。（３）（４）は指で押さえる箇所で挟持部の腕部に当たる。（８）はリング状のバネ部、（９）は物干し具に取り付けるための吊り下げ腕具である。（５）は扇形空間を形成するように腕部（３）（４）をまたいで連結している板状のバンド部で、（６）（７）は挟持部との連結部である。図２は、本発明の請求項１の外観を表す斜視図である。図３（ａ）は絡み防止を目的とするバンド（５）の洗濯ばさみへの取り付け前の外観を表す斜視図である。図３（ｂ）はバンド連結部（６）（７）の断面図である。バンドは、この連結部（６）（７）によって挟持片腕部（３）（４）の穴にはめ込まれる構造となっている。
【０００８】
請求項１の発明は以上のような構成で、これを使用するときは、本発明の洗濯ばさみを吊り下げ腕具（９）を物干し具に多数取り付けるだけでよい。洗濯物を干すときに挟持部（１）（２）の腕部（３）（４）を指で挟み、力を加えれば挟持部（１）（２）が開き、洗濯物を挟み込むことができる。このとき、バンド部（５）の材質は適度に弾力性のある樹脂で作られているために挟持部（１）（２）の開閉動作の妨げにはならない。その上、このバンド部（５）が取り付けられているために、従来の洗濯ばさみのように２つの腕部（３）（４）に洗濯物が絡むことがなくなる。また、洗濯物が乾き、２台の物干し具を重ねて収納した場合でも、このバンド部（５）のあるために物干し具の洗濯ばさみ同士が絡み合って分離ができなくなるという不具合は生じなくなる。
【０００９】
図４は、本発明の請求項２の構成を表した正面図である。基本的な構成は請求項１と同じである。ただし、板状のバンド部（５）は、請求項１のように連結部（６）（７）に取り付けられるのではなく、一体成形によってバンド部（５）と腕部（３）（４）がつながっていることが特徴である。図５は本発明の請求項２の外観を表す斜視図である。
【００１０】
請求項２の発明は以上のような構成で、これを使用するときは、請求項１と同様に、吊り下げ腕具（９）を介し、物干し具に多数の洗濯ばさみを取り付けるだけでよい。洗濯物を干すときには挟持部（１）（２）の腕部（３）（４）を指で挟み、力を加えれば挟持部（１）（２）が開き、洗濯物を挟み込むことができる。このとき、バンド部（５）は板状の樹脂であるために弾力性があり、挟持部（１）（２）の開閉動作の妨げにはならない。その上、このバンド部（５）が取り付けられているために、従来の洗濯ばさみのように２つの腕部（３）（４）に洗濯物が絡むことがなくなる利点は請求項１と同様である。
【実施例１】
【００１１】
図６は、他の実施例１を示す斜視図で、吊り下げ腕具（９）を通す案内穴（１０）の大きさが広くなっている洗濯ばさみである。図７は案内穴（１０）の大きさが広くなっているバンド（５）の洗濯ばさみへの取り付け前の外観を表す斜視図である。
【実施例２】
【００１２】
図８は、他の実施例２を示す斜視図で、バンド部（５）の断面が円形になっている洗濯ばさみでバンド中央に吊り下げ腕（９）を通す案内穴（１０）が設けられている。
図９は、絡み防止を目的とするバンド（５）の洗濯ばさみへの取り付け前の外観を表す斜視図である。
【００１３】
図１０は、他の実施例３を示す斜視図で、バンド部（５）が挟持部腕部（３）（４）と一体成形により形成されている点は請求項２と同じであるが、腕部（３）（４）とバンド部（５）のつなぎ付近に取り付け穴（１１）を設け、物干し具につながる吊り下げ腕部（９）が挟持片腕部（３）または（４）のどちらか一方に取り付けられることを特徴とする洗濯ばさみである。
【図面の簡単な説明】
【００１４】
【図１】請求項１の本発明の構成を表す正面図。
【図２】請求項１の本発明の外観を表す斜視図。
【図３】絡み防止用バンドの外観を表す斜視図。
【図４】請求項２の本発明の構成を表す正面図。
【図５】請求項２の本発明の外観を表す斜視図。
【図６】他の実施例１の外観を示す斜視図。
【図７】（ａ） 他の実施例１で使用する絡み防止用バンドの外観を表す斜視図。（ｂ） バンド連結部の断面図
【図８】他の実施例２の外観を表す斜視図。
【図９】他の実施例２で使用する絡み防止用バンドの外観を表す斜視図。
【図１０】他の実施例３の外観を表す斜視図。
【符号の説明】
【００１５】
１  挟持片
２  挟持片
３  挟持片腕部
４  挟持片腕部
５  絡み防止用バンド
６  バンド連結部
７  バンド連結部
８  リング状ばね
９  物干し具吊り下げ腕部
１０  案内穴
１１  吊り下げ腕部取り付け穴
【図１】
2005137746.tif 000003
【図２】
2005137746.tif 000004
【図３】
2005137746.tif 000005
【図４】
2005137746.tif 000006
【図５】
2005137746.tif 000007
【図６】
2005137746.tif 000008
【図７】
2005137746.tif 000009
【図８】
2005137746.tif 000010
【図９】
2005137746.tif 000011
【図１０】
2005137746.tif 000012